(57)【要約】【課題】  挿入シ−トのペ−ジ番号を考慮して、片面印刷モードや両面印刷モードに応じてページ番号が適正に印刷できるようにすること。【解決手段】  画像形成装置１０と後処理装置９０とを備え、画像形成装置１０を経由して排紙トレイ９２に排出される複数の記録シート内の所定位置に対して、挿入シート４が画像形成装１０を経由せずに後処理装置９０にて直接挿入可能な画像形成システム１は、このような挿入シート４を含む複数の記録シートに対するページ番号の割り付けを、当該挿入シート４のページ数を考慮するか否かの指示に応じて、更に、片面印刷モードや両面印刷モードの設定に応じて適正に行う。【選択図】図５
2005161837.tif 000002
【特許請求の範囲】
【請求項１】
画像形成装置と後処理装置からなる画像形成システムにおいて、
前記画像形成装置は、連続する複数の記録媒体の片面又は両面に対しページ番号を付与して画像形成を行うプリンタ部と、前記録媒体にページ番号を付与するためのページ番号カウントを制御する制御手段と、片面及び両面の印刷モードとを有し、
前記後処理装置は、画像形成された前記記録媒体の所定位置に対して挿入する挿入シートを収容する給紙トレイと、前記挿入シートを搬送する前記画像形成装置を経由しない搬送路と、後処理を行う後処理手段とを有し、
前記制御手段は、前記連続する複数の記録媒体に付与するページ番号を、前記印刷モードが片面か両面かの印刷モードの判定結果に基づき、前記挿入する挿入シートのページ数を異なるカウント値でカウントするように制御すること、
を特徴とする画像形成システム。
【請求項２】
片面印刷モードの場合は、前記カウント値を１とし、両面印刷モードの場合は、前記カウント値を２とすること、
を特徴とする請求項１に記載の画像形成システム。
【請求項３】
前記挿入シートに対してページ数をカウントするか、又はスキップするかの選択入力を行う操作部を更に備え、
前記制御手段は、前記ページ番号をカウントする際に、前記選択入力に応じて前記挿入シートのページ数をカウントするか、又はスキップするかを判定し、当該判定結果に基づいて前記挿入シートのページ番号をカウントするように制御すること、
を特徴とする請求項１に記載の画像形成システム。
【発明の詳細な説明】
【技術分野】
【０００１】
本発明は、紙等の記録媒体に対して画像を形成するプリンタや複写機等を含む画像形成システムに関する。
【背景技術】
【０００２】
従来、紙やＯＨＰ（Over Head Projector）シート等の記録媒体（以下、記録シートという。）に対し、画像を順次印刷していくプリンタや複写機等を含む画像形成システムが種々開発されている。
【０００３】
例えば、図６（ａ）に示す４枚の原稿を複写する場合、片面印刷モードでは、図６（ｂ）に示すように、ページ番号「−１−」〜「−４−」が４枚の記録シートの片面にそれぞれ印刷され、両面印刷モードでは、図６（ｃ）に示すように、２枚の記録シートの表裏両面にそれぞれ印刷される。
【０００４】
特に、最近では、画像と共にページ番号も印刷可能な画像形成装置に関する技術が、例えば、特許文献１等に開示されている。特許文献１には、ページ番号を印字するか否かが指定可能な画像形成装置に係る技術が開示されている。
【特許文献１】特開２００１−３４７７３５号公報
【発明の開示】
【発明が解決しようとする課題】
【０００５】
しかし、上述の特許文献１のページ番号のカウントにおいては、記録シートと同様に挿入シートも画像形成の対象としてページ番号のカウントをする制御が行なわれ、挿入シートに対して白紙画像およびページ番号からなる画像を印字するか否か、および、ページ単位でページ番号をカウントするか否かにより、挿入シートにページ番号を印字したり、ページ番号をスキップするようになされている。
また、両面印刷の場合において、挿入シートにページ番号を印字しない場合は、表裏の２ページに対してページ毎に印字しないという命令を付与しなければならず、煩わしい操作と複雑な制御が必要であった。
更に、上記制御では、画像形成装置を経由しない挿入シートは画像形成の対象とならない用紙であるため、画像形成装置を経由しない挿入シートがある場合はページ番号の管理および制御ができず、画像形成装置を経由しない挿入シートは全てページ番号がスキップされた状態となり、挿入ページを含めたページ番号付与の制御が出来ないという問題がある。
【０００６】
即ち、記録シート上に画像を形成する画像形成装置を経由した複数の記録シート間の所定位置に、画像形成装置を経由しない挿入シートを挿入して排紙する機能を備えた画像形成システムでは、当該排紙される全記録シートに対し、排紙順に対応させてページ番号を適正に印刷するように制御することが困難となる。
例えば、従来のような画像形成システムを用いて図６（ａ）に示す４枚の原稿を複写する場合、片面印刷モードでは、図７（ａ）に示すように、３枚目に挿入された挿入シートにはページ番号が印刷されず、両面印刷モードでは、図７（ｂ）に示すように、２枚目に挿入された挿入シートの表裏両面にはページ番号が印刷されない。
このため、挿入シートを含めたページ番号の付与の制御ができないといった不具合が生じることとなる。
【０００７】
本発明の課題は、紙等の記録媒体に対して画像を印刷する複写機や複合機等を含む画像形成システムにおいて、挿入シートのページ番号を考慮して、片面印刷モードや両面印刷モードに応じて、適正なページ番号が付与される制御を行なうことである。
【課題を解決するための手段】
【０００８】
上記課題を解決するため、請求項１記載の発明は、画像形成装置と後処理装置からなる画像形成システムにおいて、前記画像形成装置は、連続する複数の記録媒体の片面又は両面に対しページ番号を付与して画像形成を行うプリンタ部と、前記録媒体にページ番号を付与するためのページ番号カウントを制御する制御手段と、片面及び両面の印刷モードとを有し、前記後処理装置は、画像形成された前記記録媒体の所定位置に対して挿入する挿入シートを収容する給紙トレイと、前記挿入シートを搬送する前記画像形成装置を経由しない搬送路と、後処理を行う後処理手段とを有し、前記制御手段は、前記連続する複数の記録媒体に付与するページ番号を、前記印刷モードが片面か両面かの印刷モードの判定結果に基づき、前記挿入する挿入シートのページ数を異なるカウント値でカウントするように制御すること、を特徴とする。
【０００９】
更に、請求項２に記載の発明のように、請求項１に記載の発明において、片面印刷モードの場合は、前記カウント値を１とし、両面印刷モードの場合は、前記カウント値を２とすることを特徴とすることが好ましい。
【００１０】
更に、請求項３に記載の発明のように、請求項１に記載の発明において、前記挿入シートに対してページ数をカウントするか、又はスキップするかの選択入力を行う操作部を更に備え、前記制御手段は、前記ページ番号をカウントする際に、前記選択入力に応じて前記挿入シートのページ数をカウントするか、又はスキップするかを判定し、当該判定結果に基づいて前記挿入シートのページ番号をカウントするように制御することが好ましい。
【発明の効果】
【００１１】
本発明によれば、画像形成後の連続する複数の記録媒体の所定位置に対し、画像形成装置を経由しない搬送路を経由して印刷処理されていない挿入シートを挿入する際、当該連続する複数の記録媒体に対し、当該挿入する挿入シートのページ数分が考慮された適正なページ番号カウントとページ番号の印刷が実現可能となる。更に、挿入する挿入シートのページ数分をカウントするか又はスキップするかの選択可能なので、利便性、機能性の向上が図られる。
【発明を実施するための最良の形態】
【００１２】
以下、図面を参照して本発明を適用した一実施の形態について詳細に説明する。
まず、図１を参照して、画像形成システム１の構成について説明する。図１に示すように、画像形成システム１は、画像形成装置１０と、当該画像形成装置１０の後段に接続された後処理装置９０とを備える。
【００１３】
画像形成装置１０は、原稿から画像を読み取り、当該読み取った画像を紙等の記録シートに画像形成するコピー機能や、パーソナルコンピュータ等から印刷データを受信し、当該印刷データが表す画像を記録シート上に形成して出力するプリンタ機能等を備えたデジタル複合機等であり、自動原稿送り装置２０、読取部３０、プリンタ部４０を備える。
【００１４】
自動原稿送り装置２０は、ＡＤＦ（Auto Document Feeder）と称するものであり、原稿載置トレイ２１に積載される原稿２を読取部３０の読取個所に一枚ずつ搬送する。また、自動原稿送り装置２０は、原稿２が両面原稿の場合、原稿２の片面読み取り後に原稿２の表裏を反転して再び読取部３０へ原稿２を搬送する。
【００１５】
自動原稿送り装置２０は、原稿載置トレイ２１に積載される原稿２を最上部から順に搬送する給紙ローラ２２と、原稿２の読取個所であるコンタクトガラス３１に原稿２を密着させながら通過させるための密着ローラ２３と、給紙ローラ２２により搬送された原稿２を密着ローラ２３に沿って案内する案内ローラ２４とを備える。
【００１６】
自動原稿送り装置２０は、コンタクトガラス３１を通過した原稿２の進行方向を切り替える切替爪２５と、原稿２の表裏を反転させるための反転ローラ２６と、読み取りが完了した原稿２が排出される排紙トレイ２７とを備える。
【００１７】
読取部３０は、自動原稿送り装置２０により搬送された原稿２から画像を読み取り、当該画像を表す画像データを、主制御部１００側に出力する。
【００１８】
読取部３０は、光源３３及びミラー３４を備えた露光走査部３５と、原稿２からの反射光を受光しその光強度に応じた電気信号を出力するラインイメージセンサ３６と、原稿２からの反射光をラインイメージセンサ３６へ集光する集光レンズ３７と、露光走査部３５のミラー３４からの反射光をラインイメージセンサ３６へ導くための光学経路を形成する各種ミラー３８とを備える。
【００１９】
自動原稿送り装置２０により搬送された原稿２が読み取られる場合、露光走査部３５がコンタクトガラス３１の下方の読取個所へ移動して停止し、その上を密着ローラ２３により搬送される原稿２が読み取られる。プラテンガラス３２上に載置された原稿２が読み取られる場合には、プラテンガラス３２の下面に沿って左から右へと露光走査部３５が移動して静止状態の原稿２が読み取られる。
【００２０】
プリンタ部４０は、画像データにより表される画像を電子写真プロセスにより記録シート上に形成する。プリンタ部４０は、画像データに応じてＯＮ／ＯＦＦするレーザー光を出力するレーザーユニット４２を備える。
【００２１】
また、プリンタ部４０は、表面に静電潜像が形成される感光体４３と、その周囲に配置された帯電装置４４と、現像装置４５と、転写装置４６と、分離装置４７と、クリーニング装置４８とを備える。
【００２２】
感光体４３は、円筒形状を有すると共に、図示しない駆動部により一定方向（図中符号Ａに示す方向）に回転される。帯電装置４４は、コロナ放電により感光体４３を一様に帯電させる。
【００２３】
このように一様に帯電された感光体４３の表面が、画像データに応じてＯＮ／ＯＦＦするレーザー光で走査されることにより、感光体４３の表面に静電潜像が形成される。
【００２４】
現像装置４５は、感光体４３の表面に形成された静電潜像をトナー像として顕在化する。
【００２５】
転写装置４６は、電界を与えることで感光体４３表面のトナー像を記録シートに静電的に転写し、分離装置４７は、除電により感光体４３から記録シートを分離する。
【００２６】
クリーニング装置４８は、転写後に感光体４３上に残ったトナーをブレード等で擦って除去し回収する。当該回収されたトナーは図示しない経路を通じて現像装置４５に戻される。定着装置４９は、記録シート上のトナー像を加圧加熱して記録シートに固着させる。
【００２７】
給紙部６０は、複数の給紙カセット６１を備える。これらの中には、通常、サイズや紙種等、異なる記録シートが収容される。第一給紙ローラ６２は、給紙カセット６１に収容された記録シートを最上部から一枚ずつ搬送部７０に向けて搬送する。
【００２８】
搬送部７０は、給紙カセット６１から搬送された記録シートを感光体４３と転写装置４６との間の転写個所を通過させ、更にその下流の定着装置４９を経て機外（後続の後処理装置９０）に排出する通常経路７０ａと、定着装置４９を通った記録シートの表裏を反転させた後、転写個所の上流で再び通常経路７０ａに合流させる反転経路７０ｂとから構成される。
【００２９】
最初に通常経路７０ａを通る際に記録シートの表面に画像が形成され、反転経路７０ｂを通過した後再び通常経路７０ａを通る際に記録シートの裏面に画像が形成されるようになっている。
【００３０】
定着装置４９の搬送方向下流には、記録シートの進路を切り替える進路切替爪７５が配置されている。進路切替爪７５を図中点線で示す水平位置にすると、排紙方法がストレート排紙となり、定着後の記録シートは図中符号Ｃに示す方向に直進して後処理装置９０へ排出される。進路切替爪７５を図中実線で示す傾斜位置にすると、記録シートは図中符号Ｄに示す方向へ搬送される。
【００３１】
図中符号Ｄに示す方向へ搬送された記録シートは、両面印刷時における表面への画像形成後には、そのまま反転経路７０ｂへ搬送されて裏面に対する画像形成が行われる。片面印刷時等、画像形成後の記録シートの表裏を反転して排出する場合は、図中符号Ｄに示す方向へ搬送された記録シートの後端が、分岐点に配置された反転ローラ７６に到達すると、当該反転ローラ７６が逆転駆動される。これにより、記録シートは、図中符号Ｆに示す方向に搬送され、表裏が反転されたフェースダウンの状態で後処理装置９０に排出される。
【００３２】
後処理装置９０は、画像形成装置１０から排出される複数の記録シートの間やその前後に、表紙や章区切りのための挿入シート４を挿入する。また、画像形成装置１０から排出される記録シートや、これに挿入シート４を挿入した印刷物にパンチ穴を開けるパンチ器９１ａや、印刷物にステイプル処理するステイプラ９１ｂからなる後処理手段９１、挿入シート４を収容する給紙トレイ５を備える。
【００３３】
後処理手段９１は、記録シートや挿入シート４を、そのスタック部９１ｃに搬送された順に積載し、必要枚数が揃った時点で選択されている後処理の指示に応じて綴じ処理や穴あけ処理等の後処理を施し、後処理後の印刷物を排紙トレイ９２に排出する。後処理装置９０の上部にセットされた挿入シート４は、画像形成装置を経由しない搬送路Ｇにより後処理手段９１に搬送される。
【００３４】
次に、図２を参照して、画像形成装置１０の回路構成を説明する。
読取部３０は、ラインイメージセンサ３６、スキャナ制御部２１０を備える。ラインイメージセンサ３６は、ＣＣＤ（Charge Coupled Devices）等によって成り、プラテンガラス３２に載置された原稿２から光電変換によって画像を読み取り、主制御部１００の読み取り処理部１０１に出力する。スキャナ制御部２１０は、光源３３の点灯制御や露光走査部３５の移動制御等を行う。
【００３５】
ＡＤＦ制御部２１５は、自動原稿送り制御等、自動原稿送り装置２０が行う動作を制御する。
【００３６】
操作表示部２２０は、液晶ディスプレイ等から成る表示部２２１と、そのディスプレイ上に敷設されたタッチスイッチ及びその他のスイッチ等から成る操作部２２２と、表示部２２１及び操作部２２２の動作を制御する操作制御部２２３とを備え、各種操作入力を行ったり、各種情報を表示したりする。
操作制御部２２３は、特に、図４に例示する各種操作画面Ｄ１〜Ｄ５を表示部２２１に表示させ、各種操作入力を行うよう制御する。
【００３７】
プリンタ部４０は、レーザーユニット４２と、プリンタ制御部２３０とを備える。プリンタ制御部２３０は、ポリゴンミラーの回転を制御する他、帯電装置４４、転写装置４６、分離装置４７への電圧印加、感光体４３の回転、現像装置４５、クリーニング装置４８、定着装置４９、給紙部６０、搬送部７０等の動作を統括的に制御する。
【００３８】
上記スキャナ制御部２１０、ＡＤＦ制御部２１５、操作制御部２２３、プリンタ制御部２３０は、それぞれ図示しないＣＰＵ（Central Processing Unit）、ＲＯＭ（Read Only Memory）、ＲＡＭ（Random Access Memory）等を備え、当該ＲＯＭに格納されたプログラムを実行することにより各種制御を行う。
【００３９】
主制御部１００は、読み取り処理部１０１、ＤＲＡＭ制御部１０２、圧縮部１０３、伸張部１０４、画像メモリ１０５、書き込み処理部１０６、不揮発メモリ１０７、画像制御部１１０を備える。
【００４０】
読み取り処理部１０１は、読取部３０により出力される画像データに対してＡ／Ｄ（Analog/Digital）変換処理、拡大処理、鏡像処理、誤差拡散による２値化処理等を施す。
【００４１】
圧縮部１０３は、当該２値化された画像データを圧縮し、伸張部１０４は、当該圧縮された画像データを元のイメージデータに伸張する。
【００４２】
画像メモリ１０５は、上記圧縮された画像データを蓄積する圧縮メモリ１０５ａを備える。
【００４３】
書き込み処理部１０６は、画像メモリ１０５から読み出されて伸張された画像データを、プリンタ部４０の動作に応じたタイミングでレーザーユニット４２へ出力する。
【００４４】
ＤＲＡＭ制御部１０２は、ダイナミックＲＡＭからなる画像メモリ１０５へのリード・ライト及びリフレッシュのタイミング制御や、画像データを圧縮して画像メモリ１０５に格納したり画像メモリ１０５から圧縮データを読み出して伸張したりする際のタイミング制御等を行う。
【００４５】
画像制御部１１０は、ＣＰＵやＲＯＭ、ＲＡＭ等を備え、当該ＣＰＵが当該ＲＯＭに格納されたプログラムを実行することにより、画像形成装置１０の動作全体を統括的に制御し、画像データの流れを管理したり、ジョブの予約登録や実行を管理したりする。特に、図３（ａ）（又は、図３（ｂ）。）のフローチャートに示すページ番号カウント処理を実行する。
【００４６】
不揮発メモリ１０７は、電源ＯＦＦ後もユーザデータやシステムデータ等を記憶する。
【００４７】
次に、図３を参照して、画像形成システム１の動作を説明する。以下に説明する動作は、本発明の制御手段である画像制御部１１０によって実行される。
【００４８】
以下、図３（ａ）のフローチャートに示すページ番号カウント処理について説明する。
ここで、挿入シート４を、排紙トレイ９２に排出される複数の記録シートの内のどの位置（例えば、３枚目等。）に挿入するかが、図４（ｅ）に示す操作画面Ｄ５を用いてユーザにより予め設定される。すなわち、ユーザは、基本操作画面Ｄ１の出力設定の選択ボタンＤ１３を指等でタッチして操作画面Ｄ５を表示させ、操作画面Ｄ５の挿入シートの選択ボタンＤ５１を指等でタッチして挿入シート４の挿入指示を入力し、更に当該挿入シート４の挿入位置（ページ番号）を、テンキー等を用いて入力欄Ｄ５２に入力する等の各操作が予め行なわれる。
【００４９】
まず、排紙トレイ９２に排出される記録媒体が、画像形成装置１０から搬送された記録シートであるか、或いは、画像形成装置１０を経由せずに後処理装置９０にて直接搬送された挿入シート４であるかに応じてページ番号カウントが選択される（ステップＳ１０）。ページ番号は、記録シートのみに印刷され、挿入シート４には印刷されない。
【００５０】
ここで、ページ番号カウントとは、記録シートに印刷するページ番号をカウントするためのデータである。このページ番号カウントは、画像制御部１１０が具備する内蔵メモリ（図示略。）又は不揮発メモリ１０７に記憶される。
【００５１】
ステップＳ１０の段階で、記録媒体が記録シートであって挿入シート４でない場合には（ステップＳ１０；Ｎｏ）、当該記録シートに印刷するページ番号は、現在のページ番号カウントに“１”が加えられた値となる（ステップＳ１１）。
【００５２】
ステップＳ１０の段階で、記録媒体が挿入シート４の場合には（ステップＳ１０；Ｙｅｓ）、両面印刷モードに設定されているか否かが判定され（ステップＳ１２）、両面印刷モードに設定されていない場合、すなわち、片面印刷モードに設定されている場合には（ステップＳ１２；Ｎｏ）、ページ番号は、現在のページ番号カウントに対して、当該挿入シート４の片面分のページ数に相当する値（すなわち、“１”。）が加えられる（ステップＳ１３）。
【００５３】
例えば、図５（ｂ）に示すように、図５（ａ）に示す４枚の原稿を片面印刷する場合に、３枚目（すなわち、３ページ目）の挿入シート４の次に排出される４枚目（すなわち、４ページ目）の記録シートに印刷されるページ番号は、現在の（この場合、２枚目の）ページ番号カウント“２”に対して、当該３枚目の挿入シート４の片面分のページ数“１”が加えられた（この時点でページ番号カウントは“３”。）後に、更に“１”が加えられたものとなる（この時点でページ番号カウントは“４”。）。
【００５４】
ここで、両面印刷モードや片面印刷モードの設定は、ユーザが図４（ａ）に示す基本操作画面Ｄ１の選択ボタン群Ｄ１１を指等でタッチすることにより行われる。
【００５５】
また、ステップＳ１２の段階で、両面印刷モードに設定されている場合には（ステップＳ１２；Ｙｅｓ）、ページ番号は、現在のページ番号カウントに対して、当該挿入シート４の両面分のページ数に相当する値（すなわち、“２”。）が加えられる（ステップＳ１４）。
【００５６】
例えば、図５（ｃ）に示すように、図５（ａ）に示す４枚の原稿を両面印刷する場合に、２枚目（すなわち、３ページ目及び４ページ目）の挿入シート４の次に排出される３枚目（すなわち、５ページ目及び６ページ目）の記録シートの表面に印刷されるページ番号は、現在の（この場合、１枚目裏の）ページ番号カウント“２”に対して、当該２枚目の挿入シート４の両面分のページ数“２”が加えられ（この時点でページ番号カウントは“４”。）、更に“１”が加えられたものになる（この時点でページ番号カウントは“５”。）。また、当該３枚目の記録シートの裏面に印刷されるページ番号は、更に“１”が加えられたものとなる（この時点でページ番号カウントは“６”。）。
【００５７】
なお、画像制御部１１０は、上述した図３（ａ）に示すページ番号カウント処理に替えて、図３（ｂ）のフローチャートに示すページ番号カウント処理を行うようにしてもよい。
次に、図３（ｂ）のフローチャートに示すページ番号カウント処理について説明する。
【００５８】
ここで、挿入シート４を、排紙トレイ９２に排出される複数の記録シートの内のどの位置（例えば、３枚目等。）に挿入するかが、図４（ｅ）に示す操作画面Ｄ５を用いてユーザにより予め設定される。すなわち、ユーザは、基本操作画面Ｄ１にある選択ボタンＤ１３を指等でタッチして操作画面Ｄ５を表示させ、操作画面Ｄ５にある選択ボタンＤ５１を指等でタッチして挿入シート４の挿入指示を入力し、更に当該挿入シート４の挿入位置（ページ番号）を、テンキー等を用いて入力欄Ｄ５２に入力する等の各操作が予め行なわれる。
【００５９】
まず、排紙トレイ９２に排出される記録媒体が、画像形成装置１０から搬送される記録シートであるか、或いは、画像形成装置１０を経由せずに後処理装置９０にて直接搬送される挿入シート４であるかに応じ（ステップＳ２０）、更に、ステップＳ２０において、挿入シート４が排紙トレイ９２に排出される場合には（ステップＳ２０；Ｙｅｓ）、当該挿入シート４のページ数分を加味してページ番号を記録シートに印刷するページ印刷スキップモードが設定されているか否かに応じて（ステップＳ２２）、ページ番号カウントの設定が変更される。ページ番号は、記録シートのみに印刷され、挿入シート４には印刷されない。
【００６０】
ここで、ユーザは、上記ページ印刷スキップモードを次のようにして設定する。すなわち、ユーザは、基本操作画面Ｄ１にある選択ボタンＤ１２をタッチして操作画面Ｄ２を表示させ、次に操作画面Ｄ２にある選択手段Ｄ２１を指等でタッチして操作画面Ｄ３を表示させ、次に操作画面Ｄ３にある選択ボタンＤ３１を指等でタッチして操作画面Ｄ４を表示させ、更に選択ボタン群Ｄ４１のうち「カウントステップ」ボタンをタッチすることにより、ページ印刷スキップモードの設定指示が画像制御部１１０に送信される。ここで、選択ボタン群Ｄ４１のうち「カウント」ボタンがタッチされると、ページ印刷スキップモードが解除され、挿入シート４のページ数分もページ番号に加味される（ステップＳ２５及び図７（ａ）、図７（ｂ）を参照。）。
【００６１】
ステップＳ２０の段階で、ペ−ジ番号を付与する記録媒体が記録シートであって挿入シート４でない場合には（ステップＳ２０；Ｎｏ）、当該記録シートに印刷するページ番号は、現在のページ番号カウントに“１”が加えられた値となる（ステップＳ２１）。
【００６２】
ステップＳ２０で挿入シート４である場合で（ステップＳ２０；Ｙｅｓ）、更に、ステップＳ２２にて、ページ印刷スキップモードが選択されていない場合には（ステップＳ２２；Ｎｏ）、更に、両面印刷モードに設定されているか否かが判定され（ステップＳ２３）、両面印刷モードに設定されていない場合、すなわち、片面印刷モードに設定されている場合には（ステップＳ２３；Ｎｏ）、ページ番号は、現在のページ番号カウントに対して、当該挿入シート４の片面分のページ数に相当する値（すなわち、“１”。）が加えられる（ステップＳ２１）。
【００６３】
ここで、両面印刷モードや片面印刷モードの設定は、ユーザが図４（ａ）に示す基本操作画面Ｄ１の選択ボタン群Ｄ１１を指等でタッチすることにより行われる。
【００６４】
また、ステップＳ２３の段階で、両面印刷モードに設定されている場合には（ステップＳ２３；Ｙｅｓ）、ページ番号は、現在のページ番号カウントに対して、当該挿入シート４の両面分のページ数に相当する値（すなわち、“２”。）が加えられる（ステップＳ２４）。
【００６５】
また、ステップＳ２２の段階で、ページ印刷スキップモードが選択されている場合には（ステップＳ２２；Ｙｅｓ）、ページ番号は、現在のページ番号カウントに“０”が加えられ、現在のページ番号カウントがそのまま保持される（ステップＳ２５）。これにより、挿入シートのページ番号が加味されないページ番号カウントとなる。
【００６６】
以上説明したように、画像形成装置１０と後処理装置９０とを備え、画像形成装置１０の画像形成装置１０（定着装置４９）を経由して排紙トレイ９２に排出される複数の記録シート（印刷処理されたシート。）内の所定位置に対して、挿入シート４（印刷処理されていないシート。）が画像形成装置１０（定着装置４９）を経由せずに後処理装置９０にて直接挿入可能な画像形成システム１は、このような挿入シート４を含む複数の記録シートに対するページ番号の割り付けを、当該挿入シート４のページ数分を加味するか否かの指示に応じて、更に、片面印刷モードや両面印刷モードの設定に応じて適正に行う。
【００６７】
従って、連続する複数の記録シート（印刷処理されたシート。）内の所定位置に対し、画像形成装置１０を経由しない搬送路を介して挿入シート４（印刷処理されていないシート。）を挿入する際、当該連続する複数の記録シートに対し、当該挿入シート４のページ数分が考慮された適正なページ番号印刷が実現可能となる。更に、挿入する挿入シート４のページ数分を考慮するか否かが選択可能なので、利便性、機能性の向上が図られる。
【００６８】
なお、本実施の形態における記述は、本発明に係る画像形成システムの一例を示すものであり、これに限定されるものではない。本実施の形態における画像形成システム１の細部構成および詳細動作に関しては、本発明の趣旨を逸脱しない範囲で適宜変更可能である。
【図面の簡単な説明】
【００６９】
【図１】本発明を適用した画像形成システムの断面構成を示す図である。
【図２】本発明を適用した画像形成システムの回路構成を示す図である。
【図３】（ａ）は、本発明を適用したページ番号カウント処理を説明するフローチャートであり、（ｂ）は、他のページ番号カウント処理を説明するフローチャートである。
【図４】（ａ）は、図２に示す表示部に表示される基本操作画面の一例を示す図であり、（ｂ）〜（ｅ）は、何れも、基本操作画面から一又は複数ステップの画面遷移後に表示される各操作画面の一例を示す図である。
【図５】本発明を適用した、記録シートに対するページ番号の割り付け方を説明するための図であり、（ａ）は、複写される４枚の原稿を示し、（ｂ）は、片面印刷モード且つ挿入シートが挿入された場合に、当該原稿が複写された記録シートに対するページ番号の割り付け方の一例を示す図であり、（ｃ）は、両面印刷モード且つ挿入シートが挿入された場合に、当該原稿が複写された記録シートに対するページ番号の割り付け方の一例を示す図である。
【図６】従来用いられている、記録シートに対するページ番号の割り付け方を説明するための図であり、（ａ）は、複写される４枚の原稿を示し、（ｂ）は、片面印刷モードの場合に、当該原稿が複写された記録シートに対するページ番号の割り付け方の一例を示す図であり、（ｃ）は、両面印刷モードの場合に、当該原稿が複写された記録シートに対するページ番号の割り付け方の一例を示す図である。
【図７】従来用いられている、記録シートに対するページ番号の他の割り付け方を説明するための図であり、（ａ）は、片面印刷モード且つ挿入シートが挿入された場合に、当該原稿が複写された記録シートに対するページ番号の割り付け方の一例を示す図であり、（ｂ）は、両面印刷モード且つ挿入シートが挿入された場合に、当該原稿が複写された記録シートに対するページ番号の割り付け方の一例を示す図である。
【符号の説明】
【００７０】
１  画像形成システム
２  原稿
４  挿入シート
５  給紙トレイ
１０  画像形成装置
２０  自動原稿送り装置
２１  原稿載置トレイ
２２  給紙ローラ
２３  密着ローラ
２４  案内ローラ
２５  切替爪
２６  反転ローラ
２７  排紙トレイ
３０  読取部
３１  コンタクトガラス
３２  プラテンガラス
３３  光源
３４  ミラー
３５  露光走査部
３６  ラインイメージセンサ
３７  集光レンズ
３８  各種ミラー
４０  プリンタ部
４２  レーザーユニット
４３  感光体
４４  帯電装置
４５  現像装置
４６  転写装置
４７  分離装置
４８  クリーニング装置
４９  定着装置
６０  給紙部
６１  給紙カセット
６２  第一給紙ローラ
７０  搬送部
７０ａ  通常経路
７０ｂ  反転経路
７１  搬送ローラ
７５  進路切替爪
７６  反転ローラ
９０  後処理装置
９１  後処理手段
９１ａ  パンチ器
９１ｂ  ステイプラ
９２  排紙トレイ
１００  主制御部
１０１  読取処理部
１０２  ＤＲＡＭ制御部
１０３  圧縮部
１０４  伸張部
１０５  画像メモリ
１０５ａ  圧縮メモリ
１０６  書き込み処理部
１０７  不揮発メモリ
１１０  画像制御部
２１０  スキャナ制御部
２１５  ＡＤＦ制御装置
２２０  操作表示部
２２１  表示部
２２２  操作部
２２３  操作制御部
２３０  プリンタ制御部
【図１】
2005161837.tif 000003
【図２】
2005161837.tif 000004
【図３】
2005161837.tif 000005
【図４】
2005161837.tif 000006
【図５】
2005161837.tif 000007
【図６】
2005161837.tif 000008
【図７】
2005161837.tif 000009